【誤訳訂正書】
【提出日】平成29年4月14日(2017.4.14)
【誤訳訂正１】
【訂正対象書類名】特許請求の範囲
【訂正対象項目名】全文
【訂正方法】変更
【訂正の内容】
【特許請求の範囲】
【請求項１】
無線通信システム（１０）におけるリンクアダプテーションを改善するための方法であって、前記方法は、ユーザ装置（ＵＥ）（２０）で実行され、かつ、
ｅＮｏｄｅＢ（１８）から少なくとも１つの設定メッセージを受信すること（３２）を含み、前記設定メッセージは、前記ＵＥ（２０）へのダウンリンク送信の候補である異なる協調マルチポイント（ＣｏＭＰ）送信の前提にそれぞれ合致する複数のチャネル状態情報（ＣＳＩ）レポートを特定し、各ＣｏＭＰ送信の前提は動的ポイントブランキング方式、動的ポイント選択方式、協調ビームフォーミング方式、およびジョイント送信方式からなる群から選択された送信方式に対応し、前記ＣＳＩレポートの各々は、干渉の前提、及び参照信号で特徴づけられた有効チャネルを介しての仮想的なデータ送信に対応する所望信号の前提を特定し、前記干渉の前提と前記所望信号の前提の両方は、少なくとも部分的には、チャネル状態情報−干渉計測（ＣＳＩ−ＩＭ）設定、及びチャネル状態情報−参照信号（ＣＳＩ−ＲＳ）設定によってそれぞれ特定され、
前記方法は、特定された前記ＣＳＩレポートの各々について、
前記特定された干渉の前提に応じて干渉を推定すること（３４）と、前記有効チャネルの特性を推定することと、
前記干渉推定及び前記有効チャネルの前記推定された特性に基づいて、ＣＳＩレポートを決定すること（３６）、並びに、
前記ｅＮｏｄｅＢ（１８）に前記ＣＳＩレポートを送信すること（３８）を含み、
他の１つの特定されたＣＳＩレポートに応じて算出されたランク指標を再使用するよう、少なくとも１つの特定されたＣＳＩレポートを設定すること（５２）を更に含む、方法。
【請求項２】
前記少なくとも１つの設定メッセージは、複数の前記ＣＳＩレポートが関連付けられる複数のＣＳＩプロセスを特定する、請求項１に記載の方法。
【請求項３】
前記参照信号は、協調マルチポイント（ＣｏＭＰ）計測セット内に設定されたチャネル状態情報参照信号（ＣＳＩ−ＲＳ）である、請求項１又は２に記載の方法。
【請求項４】
複数のＣＳＩレポートに応じて算出されたポイント毎プリコーダ行列指標を再使用するよう、少なくとも１つの特定されたＣＳＩレポートを設定すること（５４）を更に含み、前記複数のＣＳＩレポートの各々は、
ジョイント送信の前提内の複数の送信ポイントのうちの１つから送信された所望信号に対応し、
前記ジョイント送信の前提と同一のランクに限定され、かつ、
前記ジョイント送信の前提に関連付けられた前記複数の送信ポイントの中の唯一の信号送信ポイントに対応する、請求項１から３のいずれか１項に記載の方法。
【請求項５】
無線通信システム（１０）におけるリンクアダプテーションを改善するよう設定されたユーザ装置（ＵＥ）（２０）であって、
ｅＮｏｄｅＢ（１８）から少なくとも１つの設定メッセージを受信するよう設定された通信インターフェース（２８）を備え、前記設定メッセージは、前記ＵＥ（２０）へのダウンリンク送信の候補である異なる協調マルチポイント（ＣｏＭＰ）送信の前提にそれぞれ合致する複数のチャネル状態情報（ＣＳＩ）レポートを特定し、各ＣｏＭＰ送信の前提は動的ポイントブランキング方式、動的ポイント選択方式、協調ビームフォーミング方式、およびジョイント送信方式からなる群から選択された送信方式に対応し、前記ＣＳＩレポートの各々は、干渉の前提、及び参照信号で特徴づけられた有効チャネルを介しての仮想的なデータ送信に対応する所望信号の前提を特定し、前記干渉の前提と前記所望信号の前提の両方は、少なくとも部分的には、チャネル状態情報−干渉計測（ＣＳＩ−ＩＭ）設定、及びチャネル状態情報−参照信号（ＣＳＩ−ＲＳ）設定によってそれぞれ特定され、
前記ＵＥ（２０）は、コントローラ（２２）を備え、前記コントローラ（２２）は、特定された前記ＣＳＩレポートの各々について、
前記特定された干渉の前提に応じて干渉を推定し、前記有効チャネルの前記特性を推定し、
前記干渉推定及び前記有効チャネルの前記推定された特性に基づいて、ＣＳＩレポートを決定し、かつ、
前記ｅＮｏｄｅＢ（１８）に前記ＣＳＩレポートを送信するよう設定されており、
前記コントローラ（２２）は、他の１つの特定されたＣＳＩレポートに応じて算出されたランク指標を再使用するよう、少なくとも１つの特定されたＣＳＩレポートを設定するように更に設定されている、ＵＥ（２０）。
【請求項６】
前記少なくとも１つの設定メッセージは、複数の前記ＣＳＩレポートが関連付けられる複数のＣＳＩプロセスを特定する、請求項５に記載のＵＥ。
【請求項７】
前記参照信号は、協調マルチポイント（ＣｏＭＰ）計測セット内に設定されたチャネル状態情報参照信号（ＣＳＩ−ＲＳ）である、請求項５又は６に記載のＵＥ。
【請求項８】
前記コントローラ（２２）は、複数のＣＳＩレポートに応じて算出されたポイント毎プリコーダ行列指標を再使用するよう、少なくとも１つの特定されたＣＳＩレポートを設定するように更に設定され、前記複数のＣＳＩレポートの各々は、
ジョイント送信の前提内の複数の送信ポイントのうちの１つから送信された所望信号に対応し、
前記ジョイント送信の前提と同一のランクに限定され、かつ、
前記ジョイント送信の前提に関連付けられた前記複数の送信ポイントの中の唯一の信号送信ポイントに対応する、請求項５から７のいずれか１項に記載のＵＥ。
【請求項９】
無線通信システム（１０）におけるリンクアダプテーションを改善するための方法であって、前記方法は、ｅＮｏｄｅＢ（１８）で実行され、かつ、
ＵＥ（２０）に少なくとも１つの設定メッセージを送信すること（７２）を含み、前記設定メッセージは、前記ＵＥ（２０）へのダウンリンク送信の候補である異なる協調マルチポイント（ＣｏＭＰ）送信の前提にそれぞれ合致する複数のチャネル状態情報（ＣＳＩ）レポートを特定し、各ＣｏＭＰ送信の前提は動的ポイントブランキング方式、動的ポイント選択方式、協調ビームフォーミング方式、およびジョイント送信方式からなる群から選択された送信方式に対応し、前記ＣＳＩレポートの各々は、干渉の前提、及び参照信号で特徴づけられた有効チャネルを介しての仮想的なデータ送信に対応する所望信号の前提を特定し、前記干渉の推定及び前記所望信号の前提は、少なくとも部分的には、チャネル状態情報−干渉計測（ＣＳＩ−ＩＭ）設定、及びチャネル状態情報−参照信号（ＣＳＩ−ＲＳ）設定によってそれぞれ特定され、前記少なくとも１つの設定メッセージの送信は、特定された前記ＣＳＩレポートの各々について、前記ＵＥ（２０）を、
前記特定された干渉の前提に応じて干渉を推定し、前記有効チャネルの特性を推定し、かつ、
前記干渉推定及び前記有効チャネルの前記推定された特性に基づいて、前記ＣＳＩレポートを決定するよう設定し、
前記方法は、
前記ＣＳＩレポートを、前記ＵＥから受信すること（７４）と、
一ＣＳＩレポートからのランク指標を再使用するよう、前記ＣＳＩレポートを設定すること（１０８）を含み、
前記ランク指標は、シングルポイント送信の前提と動的ポイントブランキングの前提のいずれか又は両方に対応し、これらの前提の各々は、複数の送信ポイントのうちの１つから送信された所望信号に対応する、方法。
【請求項１０】
前記少なくとも１つの設定メッセージは、複数の前記ＣＳＩレポートが関連付けられる複数のＣＳＩプロセスを特定する、請求項９に記載の方法。
【請求項１１】
更に、
階層的に順序付けされた複数のＣＳＩレポートを設定すること（８８）を含み、任意の所与のＣＳＩレポートの前記設定は、少なくとも１つの他のＣＳＩレポートに基づき、
以前のＣＳＩレポートから選択された情報を使用して、前記所与のＣＳＩレポートを設定すること（９０）を含む、請求項９又は１０に記載の方法。
【請求項１２】
前記設定により同定される参照信号で特徴づけられた一有効チャネルを介しての少なくとも１つの仮想的な干渉性送信からの一干渉測定値を付加することにより干渉測定値を変更するよう、前記ＵＥ（２０）にシグナリングすることによって、前記干渉の前提を設定すること（９２）を更に含む、請求項９又は１０に記載の方法。
【請求項１３】
前記参照信号は、協調マルチポイント（ＣｏＭＰ）計測セット内に設定されたチャネル状態情報参照信号（ＣＳＩ−ＲＳ）である、請求項９から１２のいずれか１項に記載の方法。
【請求項１４】
前記ｅＮｏｄｅＢ（１８）がＣＳＩレポートを設定する元となった、可能性のある干渉の前提と所望信号の前提のいずれか又は両方のリスト、或いはその組を用いて、前記リスト内の要素に対するインデックスをシグナリングすることによって、前記ＵＥ（２０）を設定すること（９６）を更に含む、請求項９から１３のいずれか１項に記載の方法。
【請求項１５】
前記ｅＮｏｄｅＢ（１８）は、前記ＵＥ（２０）のために設定されるＣｏＭＰ計測セットに関連付けられた参照信号に関連付けられた複数の送信ポイント（ＴＰ）についての複数のＣｏＭＰ送信の前提に関して、ＣＳＩレポートを設定する（９８）、請求項９から１４のいずれか１項に記載の方法。
【請求項１６】
前記ｅＮｏｄｅＢ（１８）は、時間周波数リソース（ＴＦＲＥ）の所与のセット上で前記送信ポイントをミュートし（１００）、少なくとも１つのＣＳＩレポートの干渉計測のためにＴＦＲＥの前記セットを使用するように前記ＵＥ（２０）を設定し、前記方法は、
前記少なくとも１つのＣＳＩレポートを、動的ポイントブランキングの前提に対応することで第１送信ポイントが所望信号を送信するように、かつ、第２送信ポイントがミュートされるように設定すること（１０２）を更に含み、前記少なくとも１つのＣＳＩレポートを設定することは、
前記所望信号を前記第１送信ポイントに対応する単一の参照信号に関連付けるよう、前記少なくとも１つのＣＳＩレポートを設定すること（１０４）、及び、
少なくとも前記第２送信ポイントからの干渉に関する情報を取り除くよう、干渉の前提を設定すること（１０６）を含む、請求項１５に記載の方法。
【請求項１７】
シングルポイント送信の前提と動的ポイントブランキングの前提のいずれか又は両方に対応する複数のＣＳＩレポートからのポイント毎プリコーダ行列指標を再使用するよう、前記ＣＳＩレポートを設定すること（１１０）を更に含み、前記複数のＣＳＩレポートの各々は、
前記ジョイント送信の前提内の前記複数の送信ポイントのうちの１つから送信された所望信号に対応し、
前記ジョイント送信の前提と同一のランクに限定され、かつ、
前記ジョイント送信の前提に関連付けられた前記複数の送信ポイントの中の唯一の信号送信ポイントに対応する、請求項９に記載の方法。
【請求項１８】
無線通信システム（１０）におけるリンクアダプテーションのために設定されたｅＮｏｄｅＢ（１８）であって、
通信インターフェース（６２）と、
前記通信インターフェースに動作可能に接続されたコントローラ（６０）を備え、
前記コントローラ（６０）は、前記通信インターフェース（６２）を通じて、
ＵＥ（２０）に少なくとも１つの設定メッセージを送信するよう設定され、前記設定メッセージは、前記ＵＥ（２０）へのダウンリンク送信の候補である異なる協調マルチポイント（ＣｏＭＰ）送信の前提にそれぞれ合致する複数のチャネル状態情報（ＣＳＩ）レポートを特定し、各ＣｏＭＰ送信の前提は動的ポイントブランキング方式、動的ポイント選択方式、協調ビームフォーミング方式、およびジョイント送信方式からなる群から選択された送信方式に対応し、前記ＣＳＩレポートの各々は、干渉の前提、及び参照信号で特徴づけられた有効チャネルを介しての仮想的なデータ送信に対応する所望信号の前提を特定し、前記少なくとも１つの設定メッセージの送信は、特定された前記ＣＳＩレポートの各々について、前記ＵＥ（２０）を、
前記特定された干渉の前提に応じて干渉を推定し、
前記有効チャネルの特性を推定し、かつ、
前記干渉推定及び前記有効チャネルの前記推定された特性に基づいて、前記ＣＳＩレポートを決定するよう設定し、
前記コントローラ（６０）は、前記ＣＳＩレポートを前記ＵＥ（２０）から受信するよう設定され、
前記コントローラ（６０）は、前記干渉の前提と前記所望信号の前提の両方を、少なくとも部分的には、チャネル状態情報−干渉計測（ＣＳＩ−ＩＭ）設定、及び、チャネル状態情報−参照信号（ＣＳＩ−ＲＳ）設定によってそれぞれ特定するよう更に設定されており、
前記コントローラ（６０）は、一ＣＳＩレポートからのランク指標を再使用するように、前記ＣＳＩレポートを設定するよう更に設定され、前記ランク指標は、シングルポイント送信の前提と動的ポイントブランキングの前提のいずれか又は両方に対応し、これらの前提の各々は、前記複数の送信ポイントのうちの１つから送信された所望信号に対応する、ｅＮｏｄｅＢ。
【請求項１９】
前記少なくとも１つの設定メッセージは、複数の前記ＣＳＩレポートが関連付けられる複数のＣＳＩプロセスを特定する、請求項１８に記載のｅＮｏｄｅＢ。
【請求項２０】
前記コントローラ（６０）は更に、特定された前記ＣＳＩレポートの各々について、
階層的に順序付けされた複数のＣＳＩレポートを設定するよう設定され、任意の所与のＣＳＩレポートの前記設定は、少なくとも１つの他のＣＳＩレポートに基づき、
以前のＣＳＩレポートから選択された情報を使用して、前記所与のＣＳＩレポートを設定するよう設定されている、請求項１８又は１９に記載のｅＮｏｄｅＢ。
【請求項２１】
前記コントローラ（６０）は、前記設定により同定される参照信号で特徴づけられた一有効チャネルを介しての少なくとも１つの仮想的な干渉性送信からの一干渉測定値を付加することで干渉測定値を変更するよう、前記ＵＥ（２０）にシグナリングすることによって、前記干渉の前提を設定するよう更に設定されている、請求項１８又は１９に記載のｅＮｏｄｅＢ。
【請求項２２】
前記参照信号は、ＣｏＭＰ計測セット内に設定されたチャネル状態情報参照信号（ＣＳＩ−ＲＳ）である、請求項１８から２１のいずれか１項に記載のｅＮｏｄｅＢ。
【請求項２３】
前記コントローラ（６０）は、前記ｅＮｏｄｅＢ（１８）がＣＳＩレポートを設定する元となった、可能性のある干渉の前提と所望信号の前提のリストのいずれか又は両方、或いはその組を用いて、前記リスト内の要素に対するインデックスをシグナリングすることによって、前記ＵＥ（２０）を設定するよう更に設定されている、請求項１８から２２のいずれか１項に記載のｅＮｏｄｅＢ。
【請求項２４】
前記コントローラ（６０）は、前記ＵＥ（２０）のために設定されるＣｏＭＰ計測セットに関連付けられた参照信号に関連付けられた複数の送信ポイント（ＴＰ）についての複数のＣｏＭＰ送信の前提に関して、ＣＳＩレポートを設定するよう更に設定される、請求項１８から２３のいずれか１項に記載のｅＮｏｄｅＢ。
【請求項２５】
前記コントローラ（６０）は、
時間周波数リソース（ＴＦＲＥ）の所与のセット上で前記送信ポイントをミュートし、
少なくとも１つのＣＳＩレポートのための干渉計測にＴＦＲＥの前記セットを使用するよう、前記ＵＥ（２０）を設定し、
前記少なくとも１つのＣＳＩレポートを、動的ポイントブランキングの前提に対応することで第１送信ポイントが所望信号を送信するように、かつ、第２送信ポイントがミュートされるように、設定するよう更に設定され、
前記少なくとも１つのＣＳＩレポートを設定するために、前記コントローラ（６０）は、
前記所望信号を前記第１送信ポイントに対応する単一の参照信号に関連付けるよう、前記ＣＳＩレポートを設定し、かつ、
少なくとも前記第２送信ポイントからの干渉に関する情報を取り除くよう、干渉の前提を設定するよう設定されている、請求項２４に記載のｅＮｏｄｅＢ。
【請求項２６】
前記コントローラ（６０）は、シングルポイント送信の前提と動的ポイントブランキングの前提のいずれか又は両方に対応する複数のＣＳＩレポートからポイント毎プリコーダ行列指標を再使用するように、前記ＣＳＩレポートを設定するよう更に設定され、前記複数のＣＳＩレポートの各々は、
前記ジョイント送信の前提内の前記複数の送信ポイントのうちの１つから送信された所望信号に対応し、
前記ジョイント送信の前提と同一のランクに限定され、かつ、
前記ジョイント送信の前提に関連付けられた前記複数の送信ポイントの中の唯一の信号送信ポイントに対応する、請求項１８に記載のｅＮｏｄｅＢ。
【誤訳訂正２】
【訂正対象書類名】明細書
【訂正対象項目名】全文
【訂正方法】変更
【訂正の内容】
【発明の詳細な説明】
【発明の名称】チャネル状態情報報告のための協調マルチポイント送信の前提の設定
【技術分野】
【０００１】
本出願は、「チャネル状態情報（ＣＳＩ）報告のための協調マルチポイント（ＣｏＭＰ）送信の前提の設定」と題された、米国仮出願番号６１／６１２，９２０からの優先権を主張する。この６１／６１２，９２０の出願は、２０１２年３月１９日に提出され、その全体が参照により本明細書に組み込まれる。
【０００２】
本開示は概して、無線通信システムに関し、具体的には、無線通信システムにおけるリンクアダプテーションを改善するためのシステム及び方法に関する。
【背景技術】
【０００３】
マルチアンテナ技術により、無線通信システムのデータ速度及び信頼性を大いに高めることが可能である。送信器と受信器の両方が複数のアンテナを備え、その結果として多入力多出力（ＭＩＭＯ）通信チャネルがもたらされる場合、性能は特段に改善される。かかるシステム及び／又は関連技術は、一般にＭＩＭＯと称される。
【０００４】
第３世代パートナーシップ・プロジェクト（３ＧＰＰ）が規定した標準であるロングタームエボリューション（ＬＴＥ）標準は、現在、ＭＩＭＯのサポートの強まりと共に進化している。ＬＴＥにおける中核的構成要素となっているのは、ＭＩＭＯアンテナ配備及びＭＩＭＯ関連技術のサポートである。ＬＴＥ−Ａｄｖａｎｃｅｄでの現行の機能前提は、チャネル依存プリコーディングを備えることもある、８レイヤ空間多重モードのサポートである。空間多重モードの目的は、好ましいチャネル状態においてデータ速度の高速化を実現することである。空間多重モードの図解が、図１に提供されている。
【０００５】
図１に見られるように、シンボルベクトルｓを運ぶ情報は、（ＮＴアンテナポートに対応する）ＮＴ次元ベクトル空間の部分空間内で送信エネルギーを分配する役割を果たすＮＴｘｒプリコーダ行列
2015514351.tif 000001
によって多重化される。プリコーダ行列は一般的に、可能性のあるプリコーダ行列の符号表から選択され、かつ一般的に、プリコーダ行列指標（ＰＭＩ）を用いて示される。ＰＭＩは、符号表内の唯一のプリコーダ行列を特定する。プリコーダ行列が直交列を有するものに限定される場合には、プリコーダ行列の符号表の設計は、グラスマニアン部分空間パッキング問題に対応する。ｓ内の各ｒシンボルが１つのレイヤに対応し、ｒは送信ランクと称される。この方法においては、同一のリソース要素（ＲＥ）を介して複数のシンボルが同時に送信されうることから、空間多重モードが達成される。シンボルｒの数は、一般的に、現行のチャネル特性に適するよう適合される。
【０００６】
ＬＴＥは、ダウンリンクでは直交周波数分割多重方式（ＯＦＤＭ）を、アップリンクでは離散的フーリエ変換（ＤＦＴ）プリコードＯＦＤＭを使用している。したがって、副搬送波ｎ（代替的にはデータＲＥ数ｎ）上の特定のリソース要素についての、受信されたＮＲｘ１ベクトルｙｎは、セル間干渉がないという想定で、方程式（１）によりこのようにモデル化される。
2015514351.tif 000002
ここでは、ｅｎは、ランダムプロセスの具現化として取得されたノイズ及び干渉のベクトルである。プリコーダ
2015514351.tif 000003
は、周波数全体にわたり一定である広帯域プリコーダ、又は周波数選択性でありうる。
【０００７】
プリコーダ行列は、ＮＲｘＮＴＭＩＭＯチャネルＨの特徴に合致するよう選ばれることがよくあり、その結果として、所謂チャネル依存プリコーディングがもたらされる。これは、一般に閉ループプリコーディングとも称され、本質的に、送信エネルギーの多くをＵＥに伝達するという意味で強力な、送信エネルギーの部分空間への集中を追及するものである。加えて、プリコーダ行列は、チャネルの直交化を追及するように選択されることもある。このことは、ＵＥにおける適切な線形等化の後にレイヤ間干渉が低減することを意味する。
【０００８】
チャネル状態情報参照シンボル（ＣＳＩ−ＲＳ）
ＬＴＥリリース−１０では、新たな参照シンボルシーケンス（すなわちＣＳＩ−ＲＳ）が、チャネル状態情報の推定のために導入された。ＣＳＩ−ＲＳは、ＬＴＥの以前のリリースで行われていたように、共通参照シンボル（ＣＲＳ）をＣＳＩフィードバックの基盤とすることに勝る、いくつかの利点を提供する。第１に、ＣＳＩ−ＲＳは、データ信号の復調に使用されず、ゆえに、同一の密度を必要としない（すなわち、ＣＳＩ−ＲＳのオーバヘッドは相当程度低くなる）。第２に、ＣＳＩ−ＲＳは、ＣＳＩフィードバック計測を設定するのにずっと適応度が高い手段を提供する。例えば、どのＣＳＩ−ＲＳリソースに計測を行うかを、ＵＥの特定の様態で設定しうる。その上、ＣＲＳは最大で４アンテナ向けにしか規定されないことから、４アンテナを超えるアンテナ設定のサポートは、ＣＳＩ−ＲＳを頼みにする他ない。
【０００９】
ＣＳＩ−ＲＳに計測を行うことにより、ＵＥは、電波伝搬チャネル、アンテナ利得、及び、可能性のある任意の仮想アンテナ化を含む、ＣＳＩ−ＲＳが進む有効チャネルを推定しうる。（すなわち、ＣＳＩ−ＲＳは、複数の物理アンテナポートを介して仮想化されるようにプリコードされうる。）つまり、ＣＳＩ−ＲＳポートは、異なる利得及び位相を備えることもある、複数の物理アンテナポートで送信可能である）。数学的により厳密には、このことは、既知のＣＳＩ−ＲＳ信号Ｘｎが送信される場合に、ＵＥは、送信信号と受信信号との間の結合（すなわち有効チャネル）を推定しうるということを暗示している。したがって、送信において仮想化が行われない場合、
2015514351.tif 000004
であり、つまり、ＵＥは有効チャネルを計測できる。
2015514351.tif 000005
同様に、ＣＳＩ−ＲＳが、プリコーダ
2015514351.tif 000006
を使用して仮想化される場合、
2015514351.tif 000007
であるため、次いでＵＥは、有効チャネルを推定できる。
2015514351.tif 000008
【００１０】
ゼロパワーＣＳＩ−ＲＳリソース（ミュートされたＣＳＩ−ＲＳとしても知られている）の概念は、ＣＳＩ−ＲＳに関する。ゼロパワーＣＳＩ−ＲＳリソースは、ＵＥが、データ送信がそれらのリソースの周囲でマッピングされることを覚知するように、標準ＣＳＩ−ＲＳリソースとしてのみ設定される。ゼロパワーＣＳＩ−ＲＳリソースの意図は、近隣セル／送信ポイントにおいて送信されることもある、対応する非ゼロパワーＣＳＩ−ＲＳのＳＩＮＲを上昇させるように、ネットワークが、対応するリソース上の送信をミュートできるようにすることである。ＬＴＥ−リリース１１では、干渉プラスノイズを計測するためにＵＥが使用しなければならない特別なゼロパワーＣＳＩ−ＲＳについて現在検討中である。その名称が示すように、ＵＥは、対象の送信ポイント（ＴＰ）が、ミュートされたＣＳＩ−ＲＳリソース上で送信を行っていないと想定でき、したがって、受信された電力は、干渉プラスノイズのレベルの物差しとして使用されうる。
【００１１】
特定されたＣＳＩ−ＲＳと干渉計測設定（例えばミュートされたＣＳＩ−ＲＳリソース）に基づいて、ＵＥは、有効チャネル及びノイズプラス干渉の推定が可能であり、その結果、そのチャネルに最大限に合致する、どのランク、プリコーダ、並びに送信形式を推奨するかを推定することができる。
【００１２】
暗示的ＣＳＩフィードバック  ＣＳＩフィードバックＬＴＥは、ＵＥが、計測された有効チャネルの複素値要素というような明示的な報告を行わず、むしろ、計測された有効チャネルのために送信設定を推奨する、暗示的ＣＳＩ機構を取り入れている。推奨される送信設定は、ゆえに、潜在的なチャネル状態についての情報を暗示的に与える。
【００１３】
ＬＴＥのリリース８と９では、送信ランク指標（ＲＩ）、プリコーダ行列指標（ＰＭＩ）、及びチャネル品質指標（ＣＱＩ）に関して、ＣＳＩフィードバックが与えられる。ＣＱＩ／ＲＩ／ＰＭＩレポートは、どの報告モードが設定されているかに応じて、広帯域又は周波数選択性でありうる。
【００１４】
ＲＩは、空間的に多重化され、ゆえに、有効チャネルを介し並行して送信されるストリームの、推奨される数に対応する。ＰＭＩは、有効チャネルの空間特性に関連する、送信のための（符号表内の）推奨されるプリコーダを同定する。ＣＱＩは、推奨される送信ブロックサイズ（すなわち情報点率）を表す。ゆえに、ＣＱＩと、送信ブロックの送信を介する空間ストリームのＳＩＮＲとの間には関連がある。
【００１５】
暗示的フィードバックの枠組みは、より明示的なフィードバックに勝る多くの利点を有する。最も注目に値するのは、
・  ＵＥの実装が、報告機構及びその試験に対して、かなりの程度まで透過的になること、
・  かかるＵＥはより高次のＣＱＩ及び／又はより高次の送信ランクの報告が可能であり、そのため、追加された実装の試みから即座に利益を得られることから、高度な／有効な受信器の実装が奨励されること、である。かかる高度な受信器の設計は、
・  ＵＥ受信アンテナの数の増加、
・  高度な干渉抑制技術、及び、
・  復調及びＣＳＩ報告のための高度なチャネル推定
を含むが、これらだけに限定される訳ではない。
【００１６】
明示的なＣＳＩフィードバックには、ＵＥ受信器の実装は一般的に報告に含まれないという欠点があり、ネットワーク／ＵＥが異なるＵＥ受信器の実装を管理／活用することが、ますます困難になる。その上、かかるＣＳＩフィードバック機構のための有効な相互運用性試験の提供は、通常、より困難である。
【００１７】
状況によっては、ＣＱＩはＳＩＮＲを意味すると解釈されることもあるが、ＬＴＥの文脈においては、これは適切な定義ではないということに留意されたい。最も注目に値するのは、ＳＩＮＲの報告は明示的ＣＳＩの区分に対応する一方で、上記で定義されたＣＱＩは、暗示的ＣＳＩ区分に該当することである。
【００１８】
協調マルチポイント送信（ＣｏＭＰ）
協調マルチポイント（ＣｏＭＰ）送信及び受信とは、システム性能を改善するために、送信及び／又は受信が、地理的に離れた複数のアンテナサイトにおいて協調するシステムを指す。より具体的には、ＣｏＭＰとは、異なる地理的対象領域を有するアンテナアレイの協調を指している。後続の説明において、特定の地理的領域を対象範囲とするアンテナはポイント、より具体的には送信ポイント（ＴＰ）と称される。協調は、異なるサイト間の直接通信、又は中央協調ノードを用いることのいずれかによって分配されうる。
【００１９】
ＣｏＭＰは、データ速度高速化の対象範囲、セル端スループットを改善するために、及び／又は、システムスループットを増加させるために、ＬＴＥに導入されたツールである。具体的には、その目的は、干渉の低減、及び／又は、干渉のより正確な予測のいずれかを行い、システムにおける干渉を制御することによって、ユーザ知覚性能を、ネットワーク内でより均等に分配することである。
【００２０】
ＣｏＭＰの動作は、移動体通信マクロ配置におけるサイト及びセクター間の協調、並びに、例えばマクロノードがマクロ対象領域の中のピコノードを用いて送信を協調させる異種配置の異なる設定を含む、多種多様な配置を目指すものである。
【００２１】
更に、多種多様なＣｏＭＰ送信方式が検討されている。例えば、
・  動的ポイントブランキング：動的ポイントブランキングでは、近隣のＴＰが、著しい干渉を経験しているＵＥに割り当てられる時間周波数リソース（ＴＦＲＥ）上の送信をミュートできるように、複数のＴＰが送信を協調させる。
・  動的ポイント選択：動的ポイント選択では、ＴＰが十分に活用されるように、ＵＥへのデータ送信が、異なるＴＰ間で（時間及び周波数において）動的に切り替わる。
・  協調ビームフォーミング：協調ビームフォーミングでは、近隣のＴＰが対応するＵＥへの干渉が抑制されるような方法で送信電力をビームフォーミングすることによって、ＴＰが、空間領域における送信を協調させる。
・  ジョイント送信：ジョイント送信では、ＵＥへの信号は、同一の時間／周波数リソース上で、複数のＴＰから同時に送信される。ジョイント送信の目的は、受信される信号電力を増加させ、かつ／又は、受信される干渉を低減することである（協調ＴＰが、我々のＪＴＵＥを考慮に入れることなく他の何らかのＵＥに対応する可能性がある場合）。
【００２２】
ＣｏＭＰフィードバック
ＣｏＭＰ送信方式に見られる共通点は、ネットワークが、対応ＴＰに関してだけでなく、近隣のＴＰを端末につなぐチャネルについても、ＣＳＩ情報を必要とすることである。例えば、ＴＰ毎に唯一のＣＳＩ−ＲＳリソースを設定することにより、ＵＥは、対応するＣＳＩ−ＲＳに計測を行うことで、各ＴＰについての有効チャネルの確定が可能になる。ＣＳＩ−ＲＳリソースは、厳密ではないが、ある１つのＣＳＩ−ＲＳ設定が送信されるリソース要素のパターンとして説明されうる。ＣＳＩ−ＲＳリソースは、無線リソース制御（ＲＲＣ）シグナリングによって設定される、「リソース設定」、「サブフレーム設定」及び「アンテナポート総数」の組み合わせにより決定される。ＵＥは、ある１つのＴＰの物理的存在を知覚しないことがよくある。ＵＥはただ、ある１つのＣＳＩ−ＲＳリソースとＴＰとの間のいかなる関連も覚知せずに、ＣＳＩ−ＲＳリソースに計測を行うよう設定されている。
【００２３】
ＣｏＭＰフィードバックのいくつかの候補が、ＬＴＥリリース−１１のために検討されている。大部分の選択肢は、複数のＣＳＩ−ＲＳリソースのＣＱＩ集合を備えることがあり、また、ＣＳＩ−ＲＳリソース間の何らかの共位相情報を備えることもある、ＣＳＩ−ＲＳリソース毎フィードバックに基づく。以下のリストは、いくつかの関係する選択肢を簡潔に紹介するものである（選択肢の組み合わせも可能であることに留意されたい）。
・  ＣＳＩ−ＲＳリソース毎フィードバックは、一連のＣＳＩ−ＲＳリソースの各々についてのチャネル状態情報（ＣＳＩ）の、個々の報告に対応する。そのようなＣＳＩレポートは、例えば、関連付けられたＣＳＩ−ＲＳに（又は、チャネル計測に使用されるＲＳとして）使用される同一のアンテナを介しての、仮想的なダウンリンク送信について推奨される設定を表す、プリコーダ行列指標（ＰＭＩ）、ランク指標（ＲＩ）、及び／又はチャネル品質指標（ＣＱＩ）に対応することもある。より一般的には、推奨される送信は、参照シンボルがＣＳＩチャネル計測に使用されるのと同一の方法で、物理アンテナへとマッピングされることになる。加えて、ＣＳＩレポート間には相互依存がありうる。例えば、ＣＳＩレポートは同一のＲＩを有するよう制約されうる。
一般的に、ＣＳＩ−ＲＳとＴＰの間には１対１のマッピングがあり、そのような場合、ＣＳＩ−ＲＳリソース毎フィードバックは、ＴＰ毎フィードバックに対応する。つまり、個々のＰＭＩ／ＲＩ／ＣＱＩは、各ＴＰについて報告される。
加えて、考えられるＣＳＩ−ＲＳリソースは、ｅＮｏｄｅＢによって、ＣｏＭＰ計測セットとして設定される。
・  集合フィードバックは、複数のＣＳＩ−ＲＳの集合に対応するチャネルについてのＣＳＩレポートに対応する。例えば、ジョイントＰＭＩ／ＲＩ／ＣＱＩは、複数のＣＳＩ−ＲＳに関連付けられた全てのアンテナを介してのジョイント送信に推奨されうる。
【００２４】
しかし、ジョイント探索は、ＵＥにとって計算上の負荷が大きすぎることがあり、ＣＳＩ−ＲＳリソース毎ＰＭＩと結合される集合ＣＱＩ及びＲＩを評価するのは集合の簡略化形態である。そのような方式は、集合フィードバックがＣＳＩ−ＲＳリソース毎ＰＭＩと多くの情報を共有しうるという利点も有する。多くのＣｏＭＰ送信方式はＣＳＩ−ＲＳリソース毎フィードバックを必要とし、かつ、ＣｏＭＰ方式の動的選択においてｅＮｏｄｅＢ適応性を有効にするために、集合フィードバックは一般的に、ＣＳＩ−ＲＳリソース毎フィードバックと並行して送信されることになるため、このことは有益である。コヒーレントジョイント送信をサポートするために、かかるＣＳＩ−ＲＳリソース毎ＰＭＩは、受信器において信号がコヒーレントに結合するようｅＮｏｄｅＢがＣＳＩ−ＲＳリソース毎ＰＭＩを回転できるようにする、共位相情報によって増加可能である。
【００２５】
ＣｏＭＰの干渉計測
効率的なＣｏＭＰの動作にとっては、ＣＱＩを決定する時に適切な干渉前提を捕捉することも、それが適切な受信された所望信号を捕捉するためのものであることから、同等に重要である。非協調システムでは、ＵＥは、直後のデータ送信において妥当な干渉レベルとなる、他の全てのＴＰ（又は他の全てのセル）から観測された干渉を、有効に計測できる。かかる干渉計測は、一般的に、（ＵＥが信号の衝撃を減じた後に）ＣＲＳリソース上の残留干渉を解析することによって実行される
【００２６】
ＣｏＭＰを実行する協調システムでは、かかる干渉計測はますます不適切なものになる。最も注目に値するのは、協調クラスタの中で、ｅＮｏｄｅＢは、ある１つの任意のＴＦＲＥにおいて、どのＴＰがＵＥに干渉するのかをかなりの程度まで制御できることである。ゆえに、どのＴＰが他の端末にデータを送信しているかに応じて、複数の干渉の前提が生じる。
【００２７】
干渉計測の改良という目的のために、ＬＴＥリリース−１１に新たな機能が導入される。ＬＴＥリリース−１１では、ある１つのＵＥの干渉計測にどの特定のＴＦＲＥが使用されるのかを、ネットワークが設定できるようになることが合意されている。ゆえに、ネットワークは、それらのＴＦＲＥ上の協調クラスタの中で全てのＴＰをミュートすることで、それらのＴＦＲＥ上に見られる干渉を制御できる。そのような場合、例えば、端末が、ＣｏＭＰ間クラスタ干渉を有効に計測することになる。
【００２８】
そのうえ、動的ポイントブランキング方式を例に取ると、ある１つのＵＥについて、（少なくとも）２つの関連する干渉の前提がある。一つの干渉の前提では、ＵＥは協調送信ポイントからの干渉を知覚しない。別の干渉の前提では、ＵＥは近隣のポイントからの干渉を知覚する。ＴＰがミュートされるべきか否かをネットワークが有効に決定できるように、ＵＥは、異なる干渉の前提に対応する、２つの（或いは通常複数の）ＣＱＩを報告しうる。
【００２９】
そのような方式を促進するために、干渉計測ＴＦＲＥの複数の別個のセットを設定することが提案されており、ネットワークは、これらのＴＦＲＥのセットのうちの１つにおいて、関連する干渉の前提の各々を認識するという任を担う。ゆえに、ある１つの報告されたＣＱＩをＴＦＲＥのある１つのセットと関連付けることによって、ネットワークは、関連ＣＱＩを有効なスケジューリングのために利用できるようになりうる。
【００３０】
代替的には、ｅＮｏｄｅＢは、関連する干渉の前提についての関連ＣＱＩを推定するように、報告されたＣＱＩに後処理を実行できる。
【００３１】
ＣｏＭＰの仕組みにおいて、ＵＥが、ある１つのＣｏＭＰ送信の前提について妥当な干渉レベルを自律的に決定することは、ますます困難になっている。特にＵＥは、ある１つの任意のリソース要素上でどの送信ポイントがミュートされるかを覚知しないと考えられる。したがって、干渉計測を実行する時、ＵＥが、何を計測するかを的確に覚知するのは困難になる。このことの結果として、実際の送信に正確には合致しない不正確なＣＳＩレポートがもたらされることがある。
【００３２】
その上、ある１つのネットワークが、どのＣｏＭＰ送信方式を実行できるのか、あるいは使用する意図があるのかを、ＵＥが覚知することはない。ゆえに、ネットワークに情報を使用する意図があるか否かにかかわらず、ＵＥは、多数のＣｏＭＰ方式に適するＣＳＩレポートを提供する必要がある。このことの結果として、不必要な過剰アップリンクオーバヘッドがもたらされる。
文書３ＧＰＰドラフト、Ｒ１−０９４１４１、２００９１０１２  第３世代パートナーシップ・プロジェクト（３ＧＰＰ）、モバイルコンピタンスセンター、６５０、ｒｏｕｔｅ  ｄｅｓ  Ｌｕｃｉｏｌｅｓ、Ｆ−０６９２１  Ｓｏｐｈｉａ−Ａｎｔｉｐｏｌｉｓ  Ｃｅｄｅｘ、フランス、はダウンリンク協調マルチポイント（ＣｏＭＰ）のサポートにおける暗示的フィードバックを開示している。このフィードバックは、特に、以下の前提：単一ユーザＭＩＭＯ対複数ユーザＭＩＭＯ；単一セル対協調送信及び送信プリコーダ、のいずれか、又はそれらの組み合わせに基づくものである。送信方式間の動的切り換えをサポートするために、ＵＥは、複数の送信方式の種々の前提に対応するいくつかのＣＱＩを報告することがある。ジョイント送信の前提の下では、送信ポイントが計測セットと相等しい場合には、ｅＮＢがスケジューリング決定を行うのに、単一の統合ＣＱＩで十分である。ＵＥは、例えば３つのセルの受信電力から算出されたＣＱＩを報告する。報告されたＣＱＩは、単一セル送信を前提とする、各セルのＣＱＩである。代替的には、ＵＥは、３つのセルの３つの組み合わせのうち任意のもののＣＱＩをフィードバックできる。ｅＮＢはそれでも、望まれる全てのＣＱＩを把握することが可能である。
文書３ＧＰＰドラフト、Ｒ１−１２０２２４、２０１２０１３１  第３世代パートナーシップ・プロジェクト（３ＧＰＰ）、モバイルコンピタンスセンター、６５０、ｒｏｕｔｅ  ｄｅｓ  Ｌｕｃｉｏｌｅｓ、Ｆ−０６９２１  Ｓｏｐｈｉａ−Ａｎｔｉｐｏｌｉｓ  Ｃｅｄｅｘ、フランス、はＣｏＭＰのためのＣＱＩの定義を開示している。ＣＳＩ−ＲＳ−リソース毎ＰＭＩが使用されると想定すると、（複数のＣＳＩ−ＲＳ−リソースにわたって発生する）集合ＣＱＩと、ＣＳＩ−ＲＳ−リソース毎ＣＱＩの両方の可能性が含まれる。ＣＱＩの算出は、単一電力推定と干渉電力推定の２つの部分を含む。それらのいずれも、ＣＳＩ−ＲＳ−リソース毎に、又は複数のＣＳＩ−ＲＳ−リソースにわたって計測されうる。
文書３ＧＰＰドラフト、Ｒ１−１１３８９２、２０１１１１０８  第３世代パートナーシップ・プロジェクト（３ＧＰＰ）、モバイルコンピタンスセンター、６５０、ｒｏｕｔｅ  ｄｅｓ  Ｌｕｃｉｏｌｅｓ、Ｆ−０６９２１  Ｓｏｐｈｉａ−Ａｎｔｉｐｏｌｉｓ  Ｃｅｄｅｘ、フランス、はＣｏＭＰ動作のためのフィードバック動作を開示している。ｅＮＢは、ＣｏＭＰ計測セットの中の干渉性ポイントについて干渉電力オフセットを制御し、ＣｏＭＰ送信の前提の選択肢のセットを限定することで、どのＣｏＭＰ送信の前提がＵＥによって試験されるかを制御できる。その上、報告された集合ＣＱＩは、複数のＣｏＭＰ送信の前提のうちの１つに基づく。ＵＥは次いで、ＣＱＩと共に想定されたＣｏＭＰ送信の前提を報告する。
【発明の概要】
【００３３】
したがって、本開示は、無線通信システムにおけるリンクアダプテーションを改善するシステム及び方法を提供する。一実施形態では、方法はユーザ装置（ＵＥ）において実行され、ＵＥがｅＮｏｄｅＢから設定メッセージを受信することを含む。設定メッセージは、干渉の前提、及び参照信号で特徴づけられた有効チャネルを介しての仮想的なデータ送信に対応する所望信号の前提を特定する、少なくとも１つのチャネル状態情報（ＣＳＩ）レポートを特定する。ＵＥはまた、特定された干渉の前提に応じて干渉を推定し、有効チャネルの特性を推定する。干渉推定及び有効チャネルの推定された特性に基づき、ＵＥは、少なくとも１つのＣＳＩレポートを決定し、ＣＳＩレポートをｅＮｏｄｅＢへ送信する。
【００３４】
別の実施形態では、本開示は、無線通信システムにおけるリンクアダプテーションを改善するよう設定されたＵＥを提供する。ＵＥは、通信インターフェース及びプログラマブルコントローラを備える。通信インターフェースは、ｅＮｏｄｅＢから設定メッセージを受信するよう設定される。上述のように、設定メッセージは、干渉の前提、及び参照信号で特徴づけられた有効チャネルを介しての仮想的なデータ送信に対応する所望信号の前提を特定する、少なくとも１つの第１ＣＳＩレポートを特定する。一実施形態では、ＵＥのコントローラは、特定された干渉の前提並びに有効チャネルの特性に応じて干渉を推定し、干渉推定及び有効チャネルの推定された特性に基づいて、少なくとも１つのＣＳＩレポートを決定し、次いで、少なくとも１つのＣＳＩレポートをｅＮｏｄｅＢへ送信するよう設定される。
【００３５】
ＵＥに加えて、本開示は、ｅＮｏｄｅＢ、及び、無線通信システムにおけるリンクアダプテーションのための対応方法も提供する。一実施形態では、ｅＮｏｄｅＢで実行される方法は、ＵＥに設定メッセージを送信することを含む。これらの実施形態では、設定メッセージは、干渉の前提、及び参照信号で特徴づけられた有効チャネルを介しての仮想的なデータ送信に対応する所望信号の前提を特定する、少なくとも１つのチャネル状態情報（ＣＳＩ）レポートを特定する。設定メッセージは、特定された干渉の前提並びに有効チャネルの特性に応じて干渉を推定し、干渉推定及び有効チャネルの推定された特性に基づいて、少なくとも１つのＣＳＩレポートを決定するよう、ＵＥを設定する。したがって、ｅＮｏｄｅＢは、ＵＥから、少なくとも１つのＣＳＩレポートを受信する。
【００３６】
方法を実行するために、本開示の一実施形態は、無線通信システムにおけるリンクアダプテーションを改善するよう設定されているｅＮｏｄｅＢを提供する。ｅＮｏｄｅＢは、コントローラ、及び、ＵＥに設定メッセージを送信するよう設定された通信インターフェースを備える。設定メッセージは、干渉の前提、及び参照信号で特徴づけられた有効チャネルを介しての仮想的なデータ送信に対応する所望信号の前提を特定する、少なくとも１つのＣＳＩレポートを特定する。通信インターフェースに動作可能に接続されたコントローラは、特定された干渉の前提に応じて干渉を推定し、有効チャネルの特性を推定し、かつ、干渉推定及び有効チャネルの推定された特性に基づいて、少なくとも１つのＣＳＩレポートを決定するよう設定される。その後に、ｅＮｏｄｅＢはＵＥからＣＳＩレポートを受信する。
【００３７】
したがって、本開示の実施形態は、前記ＵＥへのダウンリンク送信の候補である特定のＣｏＭＰ送信の前提に合致するようにＣＳＩレポートを設定するための適応性を備えた、ｅＮｏｄｅＢを提供する。
【００３８】
本開示は、従来型のシステムおよび方法が提供できない利点を提供する。例えば、本開示は、後続の送信の候補であるＣｏＭＰ送信の前提についてのみＣＳＩ報告を設定するためにｅＮｏｄｅＢが必要とする、適応性を提供する。このことは、例えばｅＮｏｄｅＢが送信できないＣｏＭＰ送信のような、候補ではないＣｏＭＰ送信の前提についてのＣＳＩの報告を除去することによって、アップリンクオーバヘッドを低減させる。
【００３９】
本開示は、無線ネットワークが、標準化のために検討されるいかなる一般的な方式とも異なることが多いある１つの実装に適するＣＳＩレポートを設定するための、適応性の増加も提供する。このことは、リンクアダプテーション及びダウンリンクスぺクトル効率を改善する。
【００４０】
加えて、本開示は、ＵＥが処理する必要があるＣＳＩレポートの数を最小化することでＵＥ処理を低減し、それによって、電池の使用を削減すると共に電池リソースを節約する。
【００４１】
更に、本開示は、ダウンリンク送信の候補ではない干渉の前提のための干渉計測リソースの提供をネットワークに求めないことで、ダウンリンクオーバヘッドを低減する。
【００４２】
言うまでもなく、当業者は、本開示が上記の状況又は実施例に限定される訳ではないことを認め、かつ、以下の詳細な記述を読解し、添付の図面を検討したならば、追加的な特徴及び利点を認識されよう。
【図面の簡単な説明】
【００４３】
【図１】ＬＴＥ内のプリコードされた空間多重モードの送信構造を示すブロック図である。
【図２】ＬＴＥネットワークの機能ブロック図である。
【図３】本開示の一実施形態により設定されたユーザ装置の機能ブロック図である。
【図４】本開示の実施形態による、ＵＥによって実行される方法を示すフロー図である。
【図５】本開示の実施形態による、ＵＥによって実行される方法を示すフロー図である。
【図６】本開示の一実施形態により設定されたｅＮｏｄｅＢの機能ブロック図である。
【図７】本開示の実施形態による、ｅＮｏｄｅＢによって実行される方法を示すフロー図である。
【図８Ａ】本開示の実施形態による、ｅＮｏｄｅＢによって実行される方法を示すフロー図である。
【図８Ｂ】本開示の実施形態による、ｅＮｏｄｅＢによって実行される方法を示すフロー図である。
【図８Ｃ】本開示の実施形態による、ｅＮｏｄｅＢによって実行される方法を示すフロー図である。
【発明を実施するための形態】
【００４４】
次に図面を参照するに、最新の無線通信ネットワーク標準の代表的な実施例は、第３世代パートナーシップ・プロジェクト（３ＧＰＰ）が規定したロングタームエボリューション（ＬＴＥ）である。図２は、コアネットワーク１２（すなわち、進化型パケットコア）、及び、無線アクセスネットワーク１４（すなわち、進化型ユニバーサル地上波無線アクセスネットワーク、つまりＥ−ＵＴＲＡＮ）を含む、ＬＴＥネットワーク１０の機能ブロック図を示している。進化型パケットコアネットワーク１２は、モバイル管理エンティティ（ＭＭＥ）及びシグナリングゲートウェイ（Ｓ−ＧＷ）の機能性を有するものを含む、複数のノード１６を備える。Ｅ−ＵＴＲＡＮノードは、論理Ｘ２インターフェースを介して互いに、及び、論理Ｓ１インターフェースを介してＭＭＥ／ＳＧＷノード１６と、通信可能に接続する、進化型ノードＢ（ｅＮｏｄｅＢ）１８を含む。加えて、ｅＮｏｄｅＢ１８は、エアインターフェースを介して、本書ではユーザ装置（ＵＥ）２０と称される一又は複数のユーザ端末とも連通して、ＵＥ２０に進化型パケットコアネットワーク１２へのアクセスを提供する。
【００４５】
既に述べたように、本開示は、無線通信システムにおけるリンクアダプテーションを改善するシステム及び方法を提供する。一実施形態では、ＵＥは、ｅＮｏｄｅＢ（１８）から、ＣＳＩレポートを特定する設定メッセージを受信する。ＣＳＩレポートは、ある１つの干渉の前提、及び、特定の参照信号で特徴づけられた少なくとも１つの有効チャネルを介してのデータ送信に対応する、ある１つの所望信号の前提によって特定される。ＵＥは更に、干渉の前提に応じて干渉推定を実行するように、かつ／又は、特定の参照信号に計測を実行することにより、少なくとも１つの有効チャネルを推定するように設定されることがある。加えて、一実施形態では、ＵＥは、干渉推定及び推定された有効チャネルに基づいてＣＳＩレポートを決定するよう設定され、また、ｅＮｏｄｅＢにＣＳＩレポートを送信するよう設定される。
【００４６】
したがって、本開示は、前記ＵＥへのダウンリンク送信の候補である特定のＣｏＭＰ送信の前提に合致するようにＣＳＩレポートを設定するための適応性を備えたｅＮｏｄｅＢを提供する。
【００４７】
例示的な一実施形態では、複数のＣＳＩレポートが設定され、ｅＮｏｄｅＢは、複数の対応するＣｏＭＰ送信の前提に合致するよう、前記ＣＳＩレポートを設定する。別の実施形態では、ｅＮｏｄｅＢは、ＣＳＩレポートの数を設定することもできる。かかる実施形態は、ｅＮｏｄｅＢが複数の送信ポイントからの協調送信を可能にするＣｏＭＰの文脈において役立ち、ｅＮｏｄｅＢは、（例えば、近隣のポイントがミュートされる、又はミュートされない、或いは、近隣のポイントがデータ送信に参加している、又はしていない）協調送信の複数の前提の各々について、ＣＳＩを必要とする。
【００４８】
別の実施形態では、特定のＣＳＩレポートについての所望信号の前提はシグナリングによって設定され、ＵＥはそのシグナリングからビットマップを決定しうる。各ビットは、複数の参照信号うちの１つに関連付けられ、各ビットの値は、特定のＣＳＩレポートに関して、所望信号がビットに関連付けられた参照信号によって同定された有効チャネルを介して送信されることを、ＵＥが想定すべきか否かを特定する。この実施形態の利点は、集合ＣＱＩ（並びにＴＰ毎ＣＱＩ）の報告を設定するのに十分な適応性を備えたｅＮｏｄｅＢが提供されることである。複数のビットが所望信号を示す場合には、ＵＥは、ジョイント送信に対応する関連付けられた集合ＣＱＩを備えたＣＳＩレポートを決定する。
【００４９】
別の実施形態では、ビットマップ内の２つ以上のビットが２つ以上の関連付けられた有効チャネル上の所望信号を示す時はいつでも、特定のＵＥが、ＣＳＩレポートに関して、ｅＮｏｄｅＢが所望信号を、２つ以上の有効チャネル間で非コヒーレントに送信することを想定すべきであるように、ｅＮｏｄｅＢは信号の前提を設定しうる（或いは、所定のコントラクトがありうる）。この実施形態の利点は、ネットワークにとって、複数の送信ポイントからのコヒーレント送信を保証するのは、負荷が大きいことが多いということである。特に、（２つの送信ポイントに関連付けられた）２つの有効チャネル間の関連位相は、ＣＳＩレポートが決定／推定されたポイントと、ＣＳＩレポートに続く実際の送信の時間との間で、相当程度変化しうる。これらの事案において、ＵＥが同一の非コヒーレント送信方式、例えば、ＣＱＩ報告を想定する場合にリンクアダプテーションが改善される、非コヒーレント送信方式を使用して送信する方が良いということはよくある。
【００５０】
別の実施形態では、ｅＮｏｄｅＢは、（静的、或いは、全体的に又は部分的に疑似ランダムでありうる）周波数選択性相対位相シフトの特定のパターンが２つ以上の有効チャネル間の送信に適用されるべきであるように、信号の前提を設定することができる（或いは、所定のコントラクトがありうる）。異なる送信ポイント間の送信について、ランダムに、又は構造的に周波数選択性相対位相シフトを賦課することにより、送信が、異なる送信ポイントからの信号の結合における多様性を最大化するために、非コヒーレント周波数選択性相対位相シフトを有することが保証されうる。
【００５１】
別の実施形態では、ｅＮｏｄｅＢは、ビットマップ内の２つ以上のビットが所望信号を示す時はいつでも、ＣＳＩレポートに関して、ｅＮｏｄｅＢが複数の関連づけられた有効チャネルを介してコヒーレントに所望信号を送信することを、特定のＵＥが想定すべきであるように、信号の前提を設定しうる（或いは、所定のコントラクトがありうる）。
【００５２】
別の実施形態では、想定された送信信号が、かかる有効チャネルの各々の中で、特定の広帯域相対位相シフトを使用して送信される。かかる相対位相の各々がゼロラジアンであるのは、特別な場合である。そのような約束事に伴う利点は、ＣＱＩとプリコーダレポートの他の要素が、（ｅＮｏｄｅＢによっても既知である）相対位相の特定のセット上で協調することから、個々の送信ポイント間での送信に関するいかなる位相情報も、シグナリングする必要が全くなくなることである。したがって、ＵＥは、ネットワークによって推奨される送信を形成するために使用されうる、（一般的に同一のランクのものに限定される）ＴＰ毎ＰＭＩを報告する。より具体的には、たとえ既決の位相構造であっても、周波数全体にわたる有効チャネルのランダム性は、少なくともいくつかのサブバンドがあり、その中で有効チャネルが既決の相対位相と合致するようになることを、高い確率で保証する。ゆえに、ｅＮｏｄｅＢは、これらの特段に正確に合致したサブバンド上で、そのＵＥへ送信することを、また場合によっては、残りの（合致しない）サブバンドを他のＵＥに割り当てることを選択できる。
【００５３】
別の実施形態では、ＣＳＩレポートは更に、複数の有効チャネルを介しての送信について推奨される相対位相情報を含む、推奨される集合プリコーダを備える。かかる実施形態では、ＣＳＩレポートの他の要素は、推奨される集合プリコーダに応じてＮｏｄｅＢが送信を行うことを想定する。この実施形態に伴う利点は、個々の送信ポイントからの送信をどのように共位相にするかを、ＵＥが明示的に推奨できることである。例えば、この情報がサブバンド毎の粒度で提供される場合には、ｅＮｏｄｅＢは、どのように全てのサブバンドで構造的コヒーレント性を備えて送信を行うかについての情報と共に提供される。
【００５４】
別の実施形態では、集合ＣＱＩは、推奨される集合プリコーダに応じてＮｏｄｅＢが送信を行うという想定で報告される。
【００５５】
別の実施形態では、ＵＥと、ＣＳＩレポートがジョイント送信に対応していないｅＮｏｄｅＢとの間にはコントラクトがある。かかる実施形態では、所望信号の送信を介することが想定される単一の有効チャネルに、複数の参照信号のうちどれが対応するかを示すインデックスから、ビットマップが導出される。更に、それらのインデックスは、特定のＣＳＩレポートについて、ｅＮｏｄｅＢによって明示的に又は暗示的に設定される。この実施形態は、ジョイント送信に対応するＣＳＩレポートがネットワークに必要とされない場合には、ビットマップの全てがシグナリングされる必要はないことから、ダウンリンクオーバヘッドが低減されうるという利点を有する。そのかわりに、シグナリングされる必要があるのは、ビットマップ内のどのビットが非ゼロであるかを特定するインデックスのみである。たとえシステムがジョイント送信をサポートしても、ｅＮｏｄｅＢは、複数のＴＰ毎ＣＳＩレポートから、必要なＣＳＩをかなりの程度まで得ることができる。
【００５６】
別の実施形態では、複数のＣＳＩレポートの中に階層的順序付けがある。より具体的には、特定のＣＳＩレポートの設定は、少なくとも１つの他の第２ＣＳＩレポートが存在することを必要とする。この実施形態は、計算量及び報告オーバヘッドを低減しうるＣＳＩレポート間の依存を可能にするため、役立つことがある。その上、第１ＣＳＩレポートの設定は、第２ＣＳＩレポートの報告を自動的に発生させ、それによって、設定オーバヘッドを低減させる可能性がある。
【００５７】
別の実施形態では、特定のＣＳＩレポートは、第２ＣＳＩレポートに関して決定された要素を再使用する。この実施形態は、フィードバックオーバヘッド及び／又はＵＥ計算量を考慮に入れる時に役立つ。特に、一部の情報は複数のレポート間で共有されることがあり、したがって、一度しか決定されない。実使用上有益な実施例は、シングルポイント送信のセットについてＴＰ毎ＰＭＩ推奨が発生している状況を含むが、それらのみに限定される訳ではない。かかる場合には、ＰＭＩは単に、これらの送信ポイントの中で、ジョイント送信の前提のために再使用される。
【００５８】
別の実施形態では、ｅＮｏｄｅＢと、所定の所望信号の前提を複数のＣＳＩレポートの各々に関連付ける特定のＵＥとの間に、所定のコントラクトが存在する。各ＣＳＩレポートが特定の所望信号送信の前提を想定することを、（例えば標準の一部として）特定することの利点の１つは、オーバヘッドが最小化されることである。加えて、ＵＥ実装は、性能を最適化するために、この知識を実装に生かせる。この実施形態を用いれば、ｅＮｏｄｅＢは、ＵＥが各ＣＳＩレポートについて正確な干渉の前提を想定しているということを、確保／設定しさえすれば良い。かかる所定のコントラクトの実施例は、ｎ：番目のＣＳＩレポートが、（別途設定されることがある）ＣｏＭＰ計測セットにおけるｎ：番目の参照信号に関連付けられた有効チャネルを介しての所望信号を想定する、実施形態を含む。
【００５９】
別の実施形態では、ＵＥは、干渉計測に時間周波数リソース要素の特定のセットを使用するよう設定され、特定のＣＳＩレポートについて、その干渉の前提を干渉計測の基盤とする。この実施形態は、ｅＮｏｄｅＢが、端末が干渉の計測を行うＴＦＲＥのパターン（ゼロパワーＣＳＩ−ＲＳリソース、又は非ゼロパワーＣＳＩ−ＲＳ）を設定できるという利点を有する。ゆえに、ｅＮｏｄｅＢはパターンを設定することができ、パターン上の干渉は、ＣＳＩレポートについて想定される前提に対応するＣｏＭＰ送信内に見られるもの密接に対応する。例えば、ＵＥは、近隣のポイントからの任意のデータをミュートできる。
【００６０】
別の実施形態では、ｅＮｏｄｅＢと参照リソースに関するＵＥとの間にコントラクトが存在し、ＵＥは、参照リソースに対して自律的に干渉計測を実行し、特定のＣＳＩレポートについて、その干渉の前提を干渉計測の基盤とする。この実施形態の利点は、ＵＥ自体がＣＳＩレポートについての関連干渉計測を決定することにより、設定オーバヘッドを最小化することである。しかし、そのような方式を用いると、何の干渉がレポートに含まれたのかをネットワークが予測するのは困難になりうる。
【００６１】
別の実施形態では、ｅＮｏｄｅＢは更に、特定のＣＳＩレポートについての干渉の前提を設定する。例としては、ｅＮｏｄｅＢは、設定によって同定される参照信号で特徴づけられた有効チャネルを介しての少なくとも１つの仮想干渉性送信から、人為的に干渉を付加することによって干渉測定値を修正するよう、ＵＥにシグナリングしうる。この実施形態の利点は、計測が困難な干渉（例えば、ＴＦＲＥのどのようなパターンでも送信されない干渉）が、干渉の前提に含まれうることである。干渉レベル（又は共分散行列）を受動的に計測する端末を有するかわりに、ＵＥは、ある１つの送信ポイントについての干渉を積極的に推定することになる。例えば、ＵＥは、（所定の、又は設定されたものでありうる）特定の電力の等方性信号は、計測された有効チャネルを介して送信されることを想定し、かつ、この干渉を（受動的）干渉測定値に付加（注入）しうる。具体的には、大型のＣｏＭＰ協調クラスタに関して、ネットワークが、協調クラスタ内の関連の干渉の前提全てに対応するＴＦＲＥパターンを積極的に設定するのはますます困難になる（そしてオーバヘッドはますます過剰になる）。したがって、この実施形態は、複数の干渉の前提にＴＦＲＥの共有パターン内の共通の干渉基準を共有させることで、また、個々の干渉の前提について、ＵＥに識別干渉を人為的に注入させることで、ネットワークオーバヘッドを緩和しうる。
【００６２】
別の実施形態では、干渉の前提はシグナリングによって設定され、第２ビットマップは、ＵＥによってシグナリングから決定される。この実施形態では、各ビットは、第２の複数の参照信号のうちの１つに関連付けられ、各ビットの値は、前記ビットに関連付けられた参照信号で特徴づけられた有効チャネルを介しての仮想的な送信からの干渉を人為的に付加することによって、ＵＥが干渉測定値を修正すべきか否かを特定する。この実施形態の利点は、干渉源の全て又は一部を干渉の前提に付加することによって干渉の前提を設定するよう、ＵＥを設定するのに十分な適応性を備えて、ｅＮｏｄｅＢが提供されることである。
【００６３】
別の実施形態では、第２ビットマップのビットは、特定のＣＳＩの前提についての所望信号の送信に関して想定される有効チャネルに対応する参照信号に、全く関連付けられない。この実施形態の利点は、信号は干渉と所望信号の両方ではありえないという観測によって、設定オーバヘッドが低減しうることである。ゆえに、所望信号に関連付けられたビットを発生させる干渉を有することは、冗長性となる。これが、オーバヘッドの低減に使用されうる。
【００６４】
別の実施形態では、複数の参照信号及び／又は第２の複数の参照信号が、ＣｏＭＰ計測セット内に設定されたチャネル状態情報参照信号（ＣＳＩ−ＲＳ）となる。
【００６５】
別の実施形態では、ｅＮｏｄｅＢが特定のＣＳＩレポートを設定する元となった、可能性のある干渉の前提、及び／又はある１つの所望信号の前提のリスト、及び／又はその組を用いて、前記リスト内の要素に対応する指数をシグナリングすることによって、特定のＵＥを設定する（又は、ＵＥと所定のコントラクトがある）。この実施形態は、可能性のある干渉の前提／所望信号を、実装が目標としうる所定のセットに限定することによって、設定オーバヘッドの低減、及びＵＥ実装の簡素化が達成できるという利点を有する。その上、この実施形態は、不適切な干渉／所望信号の組み合わせを積極的に除去し、それによってオーバヘッドを低減させる可能性を提供する。
【００６６】
別の実施形態では、本開示により設定されたｅＮｏｄｅＢは、特定のＵＥについて設定されるＣｏＭＰ計測セットに属する参照信号に関連付けられた送信ポイントに関して、複数のＣｏＭＰ送信の前提についてのＣＳＩレポートを獲得する。
【００６７】
一実施形態では、ｅＮｏｄｅＢは、ＴＦＲＥの特定のセット上で送信ポイントをミュートし、少なくとも１つの特定のＣＳＩレポートについての干渉計測のためにＴＦＲＥの前記セットを使用するよう、特定のＵＥを設定する。
【００６８】
別の実施形態では、ｅＮｏｄｅＢは、動的ポイントブランキングの前提に対応するよう、特定のＣＳＩレポートを設定する。かかる実施形態では、第１送信ポイントは所望信号を送信しており、少なくとも第２送信ポイントは、所望信号を第１送信ポイントに対応する単一の参照信号に関連付けるようにＣＳＩレポートを設定することによって、ミュートされる。加えて、ｅＮｏｄｅＢは、少なくとも第２送信ポイントからの干渉を含まずに、干渉の前提を設定する。
【００６９】
別の実施形態では、干渉の前提を設定することは更に、第３送信ポイントから送信された参照信号を同定するインデックス（又はビットマップ）をＵＥへシグナリングすることによって、少なくとも１つの第３送信ポイントからの干渉を人為的に付加するよう、かつ、干渉測定値は、参照信号に関連する有効チャネルを介して送信された仮想干渉を用いて修正されるべきだとＵＥに知らせるよう、ＵＥを設定することを含む。
【００７０】
別の実施形態では、ｅＮｏｄｅＢは、シングルポイント送信の前提に対応するよう、特定のＣＳＩレポートを設定する。かかる実施形態では、送信ポイントは、所望信号を送信ポイントに対応する単一の参照信号に関連付けるようにＣＳＩレポートを設定することによって、所望信号を送信する。その上、ｅＮｏｄｅＢは、送信ポイントからの干渉を含まずに、干渉の前提を設定する。
【００７１】
別の実施形態では、干渉の前提を設定することは更に、送信ポイントから送信された参照信号を同定するインデックス（又はビットマップ）をＵＥへシグナリングすることによって、少なくとも１つの第２送信ポイントからの干渉を人為的に付加するよう、かつ、干渉測定値は、前記参照信号に関連する有効チャネルを介して送信された仮想干渉を用いて修正されるべきだとＵＥに知らせるよう、ＵＥを設定することを含む。
【００７２】
別の実施形態では、ｅＮｏｄｅＢは、所望信号を複数の送信ポイントに対応する複数の参照信号に関連付けるよう、ＣＳＩレポートを設定することによって、複数の送信ポイントが所望信号を送信しているジョイント送信の前提に対応するよう、特定のＣＳＩレポートを設定する。その上、この実施形態では、ｅＮｏｄｅＢは、少なくとも複数の送信ポイントからの干渉を含まずに、干渉の前提を設定しうる。
【００７３】
一実施形態では、干渉の前提を設定することは更に、所望信号に関連付けられた複数の送信ポイントのセットに入っていない、少なくとも１つの送信ポイントからの干渉を人為的に付加するように、ＵＥを設定することを含む。このことは、例えば、前記送信ポイントから送信された参照信号を同定するインデックス（又はビットマップ）をＵＥへシグナリングすることによって、及び、前記参照信号に関連付けられた有効チャネルを介して送信された仮想干渉を用いて干渉測定値は修正されるべきであると、ＵＥに通知することによって、達成されうる。
【００７４】
別の実施形態では、ｅＮｏｄｅＢは、シングルポイント送信の前提、及び／又は、複数の送信ポイントのうちの１つから送信された所望信号に対応する動的ポイントブランキングの前提に対応する、第２ＣＳＩレポートからのランク指標を再使用するよう、特定のＣＳＩレポートを設定する。
【００７５】
一実施形態では、ｅＮｏｄｅＢは、シングルポイント送信の前提及び／又は動的ポイントブランキングの前提に対応する複数のＣＳＩレポートからのポイント毎プリコーダ行列指標を再使用するよう、特定のＣＳＩレポートを設定する。かかる実施形態では、複数のＣＳＩレポートの各々は、ジョイント送信の前提において複数の送信ポイントのうちの１つから送信された所望信号に対応する。更に、前記複数のＣＳＩレポートの各々は、前記ジョイント送信の前提と同じランクに限定される。加えて、複数のＣＳＩレポートの各々は、ジョイント送信の前提に関連付けられた複数の送信ポイントの中の唯一の信号送信ポイントに対応する。
【００７６】
図３は、本開示の一又は複数の実施形態により作動するよう設定された例示的なＵＥ２０の設定要素の一部を示す機能ブロック図である。図３に見られるように、ＵＥ２０は、ブログラマブルコントローラ２２、メモリ２４、ユーザ入出力インターフェース２６、及び通信インターフェース２８を備える。ユーザ入出力インターフェース２６は、ユーザがＵＥ２０と相互作用するために必要な設定要素を提供する。通信インターフェース２８は、適切なエアインターフェースを介して、Ｅ−ＵＴＲＡＮのｅＮｏｄｅＢ１８との通信を促進するトランシーバを備える。一実施形態では、通信インターフェースは、ＬＴＥ標準に従って、信号及びデータをｅＮｏｄｅＢ１８と連通させる。メモリ２４は、任意の固体記憶装置、又は、当業者には既知のコンピュータ可読媒体を備えることがある。かかる媒体の適当な実施例には、ＲＯＭ、ＤＲＡＭ、フラッシュ、或いは、光学式媒体又は磁気媒体のようなコンピュータ可読媒体の読み取りが可能な装置が含まれるが、それらのみに限定される訳ではない。
【００７７】
プログラマブルコントローラ２２は、マイクロプロセッサ、ハードウェア、ファームウェア、又はそれらの組み合わせのうち一又は複数によって実装され、通常適切な標準に応じて、ＵＥ２０の動作及び機能を制御する。かかる動作及び機能は、本出願で既に説明されているように、ｅＮｏｄｅＢ１８との通信を含むが、それらのみに限定される訳ではない。この点について、プログラマブルコントローラ２２は、リンクアダプテーションを改善するために本開示の方法を実行するように、メモリ２４に保存された論理及び命令を実装するよう設定されうる。
【００７８】
図４は、本開示の一実施形態による、ＵＥ２０によって実行される方法３０を示すフロー図である。方法３０は、ＵＥ２０が、ｅＮｏｄｅＢから設定メッセージを受信することによって開始される（ボックス３２）。設定メッセージは、干渉の前提、並びに参照信号で特徴づけられた有効チャネルを介しての仮想的なデータ送信に対応する所望信号の前提を特定する、少なくとも１つのチャネル状態情報（ＣＳＩ）レポートを特定する。ＵＥ２０は次いで、特定された干渉の前提に応じて干渉を推定し、有効チャネルの特性を推定し（ボックス３４）、かつ、干渉推定及び有効チャネルの推定された特性に基づいて、少なくとも１つのＣＳＩレポートを決定する（ボックス３６）。決定がなされると、ＵＥ２０は、ｅＮｏｄｅＢにＣＳＩレポートを送信する（ボックス３８）。
【００７９】
この実施形態では、設定メッセージは、例えば、ＣＳＩレポートが関連付けられるＣＳＩプロセスを特定することがある。更に、一実施形態では、チャネル状態情報−干渉計測（ＣＳＩ−ＩＭ）設定により、少なくとも部分的には、干渉の前提が特定される一方で、別の実施形態では、チャネル状態情報−参照信号（ＣＳＩ−ＲＳ）設定により、所望信号の前提が特定される。しかし、一実施形態では、ＣＳＩ−ＩＭ設定とＣＳＩ−ＲＳ設定のそれぞれにより、少なくとも部分的には、干渉の前提と所望信号の前提の両方が特定される。
【００８０】
図５は、一実施形態によりＵＥ２０がＣＳＩレポートを生成する方法４０を示す。図５に見られるように、ＵＥ２０は、設定メッセージからＣＳＩレポートについてのビットマップを決定する（ボックス４２）。ビットマップ内の各ビットは複数の参照信号のうちの１つに関連付けられ、各参照信号は異なる有効チャネルに関連付けられる。次いで、所与のビットの値に基づき、ＵＥ２０は、仮想的なデータ送信の少なくとも一部が、所与のビットに関連付けられた参照信号により同定された有効チャネルを介して送信されると想定されるか否かを決定する（ボックス４４）。次いで、仮想的なデータ送信の各設定要素について、ＵＥ２０は、設定要素がコヒーレントに、非コヒーレントに、又は、所定のコントラクトに基づき或いは設定メッセージ内の情報に基づき単一の有効チャネル上で、送信されたことが想定されるか否かを決定する（ボックス４６）。
【００８１】
ＵＥ２０は更に、ｅＮｏｄｅＢによって送信された信号に基づいて、第２ビットマップを決定する（ボックス４８）。一実施形態では、ＵＥ２０は、第２ビットマップ内の各ビットが値を有し、第２の複数の参照信号のうちの対応する１つに関連付けられるように、第２ビットマップを決定する。更に、各参照信号は、有効チャネルに対応する。かかる場合には、ＵＥ２０は、第２ビットマップ内のビットの値に基づいて、ビットに関連付けられた参照信号により同定された有効チャネルを介しての仮想的な送信からの干渉測定値を人為的に付加することによって、干渉測定値を変更するか否かを決定しうる（ボックス５０）。
【００８２】
複数の参照信号と第２の複数の参照信号のいずれか又は両方が、協調マルチポイント（ＣｏＭＰ）計測セット内に設定されたＣＳＩ−ＲＳを含むことに留意されたい。
【００８３】
続けて図５を参照するに、ＵＥ２０で受信された設定メッセージ又は更なる設定メッセージは、第２所望信号の前提に対応する第２ＣＳＩレポート、及び第２干渉の前提を、更に特定しうる。かかる場合には、ＵＥ２０は、一実施形態では、第２ＣＳＩレポートに応じて算出されたランク指標を再使用するよう、ＣＳＩレポートを設定する（ボックス５２）。上記のように、更なる設定メッセージは、第２ＣＳＩレポートが関連付けられる更なるＣＳＩプロセスを特定する。ゆえに、無線リソース制御（ＲＲＣ）メッセージのような、ＵＥ２０によって受信されたｅＮＢからの異なる設定メッセージは、異なるＣＳＩレポートを特定し、それによって、ＵＥは、異なるＣＳＩレポートを互いに独立したかたちで提供することが可能になる。
【００８４】
別の実施形態では、ＵＥ２０は、複数のＣＳＩレポートに応じて算出されたポイント毎プリコーダ行列指標を再使用するよう、ＣＳＩレポートを設定する（ボックス５４）。これら後の方に示された場合では、複数のＣＳＩレポートの各々は、ジョイント送信の前提内の複数の送信ポイントのうちの１つから送信された所望信号に対応し、ジョイント送信の前提と同一のランクに限定され、かつ、ジョイント送信の前提に関連付けられた複数の送信ポイントの中の唯一の信号送信ポイントに対応する。
【００８５】
図６は、本開示の一実施形態により設定された例示的なＮｏｄｅＢ１８の設定要素の一部の機能ブロック図である。図４に示すように、ｅＮｏｄｅＢ１８は、ブログラマブルコントローラ６０、通信インターフェース６２、及びメモリ６４を備える。通信インターフェース６２は、例えば、ＬＴＥシステム又は他の類似システム内で作動するよう設定された、送信器及び受信器を備える。当業者には既知であるように、送信器及び受信器は、一又は複数のアンテナ（図示せず）に連結され、ＬＴＥに基づくエアインターフェースを介してＵＥ２０と連通する。メモリ６４は、任意の固体記憶装置、又は、当業者には既知のコンピュータ可読媒体を備えることがある。かかる媒体の適当な実施例には、ＲＯＭ、ＤＲＡＭ、フラッシュ、或いは、光学式媒体又は磁気媒体のようなコンピュータ可読媒体の読み取りが可能な装置が含まれるが、それらのみに限定される訳ではない。
【００８６】
プログラマブルコントローラ６０は、ＬＴＥ標準に従ってＮｏｄｅＢ１８の動作を制御する。コントローラ６０の機能は、マイクロプロセッサ、ハードウェア、ファームウェア、或いはそれらの組み合わせのうち一又は複数によって実装され、既に説明された機能を実行することを含みうる。ゆえに、コントローラ６０は、メモリ６４に保存された論理及び命令に応じて、既に説明された方法を使用し、ＵＥ２０と連通するよう、並びに、リンクアダプテーションを改善するよう設定される。
【００８７】
図７は、ｅＮｏｄｅＢ１８で本開示の一実施形態を実行する方法７０を示すフロー図である。方法７０は、ｅＮｏｄｅＢ１８がＵＥ２０に設定メッセージを送信することによって開始される（ボックス７２）。ｅＮｏｄｅＢ１８は、既に説明された実施形態によって、ＣＳＩレポートを決定するようＵＥを設定するために、設定メッセージを送信する。
【００８８】
一実施形態では、設定メッセージは、干渉の前提、及び参照信号で特徴づけられた有効チャネルを介しての仮想的なデータ送信に対応する所望信号の前提を特定する、少なくとも１つのＣＳＩレポートを特定する。ｅＮｏｄｅＢ１８は、特定された干渉の前提に応じて干渉を推定し、有効チャネルの特性を推定し、かつ、干渉推定及び有効チャネルの推定された特性に基づいて、少なくとも１つのＣＳＩレポートを決定するよう、ＵＥ２０を設定するために、設定メッセージを送信する。その後に、ｅＮｏｄｅＢ１８はＵＥ２０からＣＳＩレポートを受信する（ボックス７４）。
【００８９】
上記のように、設定メッセージは、ＣＳＩレポートが関連付けられるＣＳＩプロセスを特定し、更に、ＣＳＩ−ＩＭ設定及びＣＳＩ−ＲＳ設定それぞれによって、少なくとも部分的には、干渉の前提と所望信号の前提のいずれか又は両方を特定しうる。
【００９０】
図８Ａ〜８Ｃは、ｅＮｏｄｅＢ１８で本開示の実施形態を実行する方法８０を示すフロー図である。例えば、ｅＮｏｄｅＢ１８は、一実施形態では、ＵＥに送信するよう複数の設定メッセージを設定しうる（ボックス８２）。各設定メッセージは、ＣＳＩレポートを特定し、ＵＥ２０へのダウンリンク送信の候補である、対応する協調マルチポイント（ＣｏＭＰ）方式に合致するよう設定される。
【００９１】
別の実施形態では、ｅＮｏｄｅＢ１８は、複数のビットを有するビットマップを備えるよう、ＣＳＩレポートを設定しうる（ボックス８４）。各ビットは複数の参照信号のうちの１つに関連付けられ、各参照信号は異なる有効チャネルに関連付けられる。更に、各ビットは、ビットに関連付けられた参照信号によって同定された有効チャネルを介して所望信号が送信されることをＵＥに示すよう設定された、対応する値を有する。ｅＮｏｄｅＢ１８は、次いで、ビットマップ内の２つ以上のビットが、２つ以上の有効チャネル上での所望信号の送信を示すよう設定する（ボックス８６）。２つ以上のビットは、所望信号が、所定のコントラクトに基づいて、或いは設定メッセージ内の情報に基づいて、２つ以上の有効チャネル間でコヒーレントに、又は非コヒーレントに送信されるかを、ＵＥ２０に示すこともある。
【００９２】
加えて、ｅＮｏｄｅＢ１８は、任意の所与のＣＳＩレポートの設定が少なくとも１つの他のＣＳＩレポートに基づく、階層的に順序付けされた複数のＣＳＩレポートを設定することもある（ボックス８８）。例えば、このような場合、ｅＮｏｄｅＢ１８は、以前のＣＳＩレポートから選択された情報を使用して、所与のＣＳＩレポートを設定しうる（ボックス９０）。
【００９３】
図８Ｂに見られるように、ｅＮｏｄｅＢ１８はまた、一実施形態では、ＵＥ２０へのシグナリングによって干渉測定値を変更するよう、干渉の前提を設定しうる（ボックス９２）。特に、ｅＮｏｄｅＢは、設定によって同定される参照信号で特徴づけられた有効チャネルを介しての少なくとも１つの仮想的な干渉性送信からの干渉測定値を付加するよう、ＵＥにシグナリングする。ｅＮｏｄｅＢ１８は、次いで、ＵＥ２０によってどのように第２ビットマップが決定されうるかを、ＵＥ２０に示す。特に、各ビットは、第２の複数の参照信号のうちの１つに関連付けられることなっている。各ビットの値は、ＵＥ２０が、干渉測定値を変更するために、第２ビットマップ内の所与のビットに関連付けられた参照信号で特徴づけられた有効チャネルを介しての仮想的な送信からの干渉測定値を付加すべきか否かを示す。更に、複数の参照信号と第２の複数の参照信号のいずれか又は両方が、協調マルチポイント（ＣｏＭＰ）計測セット内に設定されたＣＳＩ−ＲＳを含む。
【００９４】
一実施形態では、ｅＮｏｄｅＢ１８は、可能性のある干渉の前提と所望信号の前提のいずれかまたは両方、或いは、可能性のある干渉の前提と所望信号の前提の組のリストを用いて、ＵＥ２０を設定する（ボックス９６）。この情報から、ｅＮｏｄｅＢ１８は、例えばリスト内の要素に対応するインデックスをシグナリングすることによって、ＣＳＩレポートを設定しうる。
【００９５】
別の実施形態では、ｅＮｏｄｅＢ１８は、ＵＥのために設定されたＣｏＭＰ計測セットに関連付けられた参照信号に関連付けられた送信ポイント（ＴＰ）に関する複数のＣｏＭＰ送信の前提について、ＣＳＩレポートを設定する（ボックス９８）。
【００９６】
加えて、図８Ｃを参照するに、ｅＮｏｄｅＢ１８は、いくつかの実施形態では、時間周波数リソース（ＴＦＲＥ）の所与のセット上でＴＰをミュートし、少なくとも１つのＣＳＩレポートの干渉計測のためにＴＦＲＥのセットを使用するよう、ＵＥ２０を設定する（ボックス１００）。したがって、ｅＮｏｄｅＢ１８はＣＳＩレポートを、動的ポイントブランキングの前提に対応することで第１送信ポイントが所望信号を送信するように、かつ、第２送信ポイントがミュートされるように設定しうる。かかる実施形態では、ＣＳＩレポートの設定は、例えば、ｅＮｏｄｅＢ１８が、所望信号を、第１送信ポイントに対応する単一の参照信号に関連付けるようＣＳＩレポートを設定する（ボックス１０４）こと、及び、少なくとも第２送信ポイントから干渉に関する情報を省略するよう、干渉の前提を設定する（ボックス１０６）ことを含む。
【００９７】
一実施形態では、ｅＮｏｄｅＢ１８は、ＣＳＩレポートからのランク指標を再使用するよう、ＣＳＩレポートを設定しうる（ボックス１０８）。ランク指標は、シングルポイント送信の前提と動的ポイントブランキングの前提のいずれか又は両方に対応する。各の前提は、複数の送信ポイントのうちの１つから送信された所望信号に対応する。
【００９８】
別の実施形態では、ｅＮｏｄｅＢは、シングルポイント送信の前提と動的ポイントブランキングの前提のいずれか又は両方に対応する複数のＣＳＩレポートからのポイント毎プリコーダ行列指標を再使用するよう、ＣＳＩレポートを設定する。これらの場合には、複数のＣＳＩレポートの各々は、ジョイント送信の前提内の複数の送信ポイントのうちの１つから送信された所望信号に対応し、ジョイント送信の前提と同一のランクに限定され、或いは、ジョイント送信の前提に関連付けられた複数の送信ポイントの中の唯一の信号送信ポイントに対応する。
【００９９】
本開示は、言うまでもなく、本開示の本質的な特徴から乖離することなく、本書に具体的に述べられたもの以外の方法でも実施される。加え例えば、本開示は、添付Ａに記載される実施形態も含む。加えて、本開示では、本開示の実施形態を例示するために３ＧＰＰＬＴＥからの用語が使用されているものの、当業者は、これが例示のみを目的とするものであり、本開示は前述のシステムの範囲内だけに限定される訳ではないことを容易に認識されよう。ＷＣＤＭＡ（登録商標）、ＷｉＭａｘ、ＵＭＢ及びＧＳＭ（登録商標）を含むがそれらのみに限定される訳ではない他の無線システムも、本書に記載の方法の使用から利益を得ることができる。
【０１００】
加えて、ｅＮｏｄｅＢやＵＥといった用語は、限定的なものではなく、２つの間にいかなる特定の階層関係も暗示していないことに留意されたい。通常、「ｅＮｏｄｅＢ」は第１機器であり、「ＵＥ」は第２機器であり、それらは、何らかの無線チャネルを介して互いに連通するものであると見なされうる。更に、明細書は特にダウンリンクにおける無線送信に注目したものであるが、これは例示のみを目的とするものである。当業者は、本開示がアップリンクの無線送信にも同様に適用可能であることを、容易に認識されよう。
【０１０１】
したがって、当業者は、本書の実施形態が、前述の説明によって限定されず、添付の図面によっても限定されないことを、容易に認識されよう。むしろ本開示は、以下の特許請求の範囲及びその合理的な法的均等物によってのみ、限定されるものである。
【誤訳訂正３】
【訂正対象書類名】図面
【訂正対象項目名】図４
【訂正方法】変更
【訂正の内容】
【図４】
2015514351.tif 000009
【誤訳訂正４】
【訂正対象書類名】図面
【訂正対象項目名】図５
【訂正方法】変更
【訂正の内容】
【図５】
2015514351.tif 000010
【誤訳訂正５】
【訂正対象書類名】図面
【訂正対象項目名】図７
【訂正方法】変更
【訂正の内容】
【図７】
2015514351.tif 000011
【誤訳訂正６】
【訂正対象書類名】図面
【訂正対象項目名】図８Ａ
【訂正方法】変更
【訂正の内容】
【図８Ａ】
2015514351.tif 000012
【誤訳訂正７】
【訂正対象書類名】図面
【訂正対象項目名】図８Ｂ
【訂正方法】変更
【訂正の内容】
【図８Ｂ】
2015514351.tif 000013
【誤訳訂正８】
【訂正対象書類名】図面
【訂正対象項目名】図８Ｃ
【訂正方法】変更
【訂正の内容】
【図８Ｃ】
2015514351.tif 000014